(57)【要約】      （修正有）【課題】ライト管及びライト台の適用性を高め、異なる長さ規格のライト管も互換使用し、ライト管購入のコスト及びライト管保存の面倒を下げるライト管連結器を提供する。【解決手段】ライト管連結器２０は、伸縮外筒の両端に、それぞれ絶縁端台２３を設置し、各絶縁端台上には一対の電極結合部品２３を設置する。伸縮外筒両端に相対する電極結合部品は、それぞれバネで構成される回路で電気連通する。各一個のライト管連結器を使用する時、二個のライト管の間に設置し、両端の電極結合部品によって、それぞれ二個のライト管の電極プラグと相互に設置して少なくとも二個のライト管を連接する。【選択図】図２
0003160831.tif 000002
【実用新案登録請求の範囲】
【請求項１】
伸縮外筒と、
それぞれ該伸縮外筒の両端に設置する二個の絶縁端台と、
相対して突出もしくは凹んだ絶縁端台をそれぞれ各絶縁端台両側箇所に固定する二対の電極結合部品を含み、
該伸縮外筒両端の相対する電極結合部品は、それぞれバネで構成される回路で通電することを特徴とするライト管連結器。
【請求項２】
前記ライト管連結器は、両端の電極結合部品が相対して凹んだ絶縁端台であることを特徴とする請求項１記載のライト管連結器。
【請求項３】
前記ライト管連結器は、両端の電極結合部品が相対して突出した絶縁端台であることを特徴とする請求項１記載のライト管連結器。
【請求項４】
前記ライト管連結器は、一端の電極結合部品が相対して凹んだ絶縁端台で、別一端の電極結合部品が相対して突出した絶縁端台であることを特徴とする請求項１記載のライト管連結器。
【請求項５】
前記伸縮外筒は、金属線から製造されたニットメッシュ構造体であることを特徴とする請求項１記載のライト管連結器。
【請求項６】
前記絶縁端台の端面は、一対の該伸縮外筒内部へ貫通する設置孔を設置して電極結合部品に取付けることを特徴とする請求項１記載のライト管連結器。
【請求項７】
前記各電極結合部品は、金属棒から構成されることを特徴とする請求項１記載のライト管連結器。
【請求項８】
前記各電極結合部品は金属片から構成されることを特徴とする請求項１記載のライト管連結器。
【請求項９】
前記伸縮外套筒の内部は、二個の金属棒を設置して、それをそれぞれ該伸縮外筒両端と対応する電極結合部品に属するバネに連接することを特徴とする請求項１記載のライト管連結器。
【考案の詳細な説明】
【技術分野】
【０００１】
本考案は、電気連結装置に関するもので、特に蛍光ライト管もしくは発光ダイオードのライト管をライト台の電極差込台の隙間に使用することで調節して符合させるライト管連結器に係わる。
【背景技術】
【０００２】
図１に示すのは、一般の蛍光灯照明設備の基本構造図であり、主に蛍光ライト管１１及びライト台１２を含み、蛍光ライト管はライト管本体１１１及び両端の端蓋１１２を備え、各端蓋１１２箇所にそれぞれ一対の電極プラグ(図省略)を設置する。
【０００３】
ライト台１２は、ライト台本体１２１及び二個の電極差込台１２２を備え、各電極差込台１２２は、それぞれライト台本体１２１両端に設置し、更に一対の電極差込孔(図省略)を備える。実際に使用する時、蛍光ライト管１１は、端蓋１１２の電極プラグをライト台１２の電極差込孔内に挿し込むことで、電気連接の目的を達成する。
【０００４】
近年では、発光ダイオードを使用した照明具が伝統的な電球もしくは蛍光ライト管に取って代わる趨勢である。しかしながら、新旧の製品が交代する過渡期の求めから、現在の照明具に通用させるため、現在発光ダイオードを使用する一部の照明具製品には、現在の照明具に符号する構造形態、例として、発光ダイオードライト管の外型には伝統的な蛍光ライト管を設置でき、一透光管体及び該透光管体両端に設置する端蓋及電極プラグを備え、伝統的な蛍光ライト管にも通用するライト台も設置される。
【考案の概要】
【考案が解決しようとする課題】
【０００５】
解決しようとする問題点として、伝統的な蛍光ライト管は、１０W、２０W、４０W等規格が異なり、そのライト管の長さもまた異なるため、市場で見かける蛍光灯照明もまた１０W、２０W、４０W等規格の区分があり、異なる規格の蛍光灯照明具はその電極差込台の距離も異なる。原則的には特定の長さの蛍光ライト管に設置して使用できるだけで、全体的な適用としては劣り、且つ異なる長さの規格のライト管は互換使用ができないため、相対して各々購入しなければならず、ライト管のコストが高くなる点である。
【課題を解決するための手段】
【０００６】
本考案は、伸縮外筒の両端に、それぞれ絶縁端台を設置し、各絶縁端台上には一対の電極結合部品を設置する。伸縮外筒両端に相対する電極結合部品は、それぞれバネで構成される回路で電気連通する。各一個のライト管連結器を使用する時、二個のライト管の間に設置し、両端の電極結合部品によって、それぞれ二個のライト管の電極プラグと相互に設置して少なくとも二個のライト管を連接することを最も主要な特徴とする。
【考案の効果】
【０００７】
本考案のライト管連結器は、ライト管及びライト台の適用性を高め、異なる長さ規格のライト管も互換使用でき、ライト管購入のコスト及びライト管保存の面倒を相対して下げるという利点がある。
【図面の簡単な説明】
【０００８】
【図１】公知の蛍光灯ライトの基本構造指示図である。
【図２】本考案の第一実施例のライト管連結器の外観構造図である。
【図３】本考案の第一実施例のライト管連結器構造の断面図である。
【図４】本考案の第一実施例のライト管連結器收縮状態構造断面図である。
【図５】本考案の第二実施例のライト管連結器の外観構造図である。
【図６】本考案の第一実施例のライト管連結器使用状態参考図である。
【考案を実施するための形態】
【０００９】
本考案はライト管連結器を提供し、蛍光ライト管もしくは発光ダイオードライト管をライト台の電極差込台に符合させて連結し、隙間使用するもので、ライト管及ライト台の適用性を高めることを主な目的とする。
【００１０】
上述の問題を達成するため、本考案のライト管連結器は、伸縮外筒の両端に、それぞれ絶縁端台を設置し、各絶縁端台上には一対の電極結合部品を設置し、伸縮外筒両端に相対する電極結合部品は、それぞれバネで構成される回路で電気連通する。
【００１１】
本考案の各一個のライト管連結器を使用する時、二個のライト管の間に設置する。両端の電極結合部品から、それぞれ二個のライト管の電極プラグと相互に連接し、少なくとも二個のライト管を連接使用する目的を達成する。
【実施例】
【００１２】
図２及び図３に示すとおり、本考案のライト管連結器２０は、一伸縮外筒２１、二個の絶縁端台２２，及び二対の電極結合部品２３を含む。そのうち、
【００１３】
該伸縮外筒２１は、金属線から製造されたニットメッシュ構造体で、金属線の間の相対する平織りを位置移動することによって、伸縮外筒２１両端全体が相対的に伸びたり(図３参照)、もしくは相対的に圧縮したり(図４参照)する伸縮効果を備える。
【００１４】
該二個の絶縁端台２２は、それぞれ該伸縮外筒２１の両端に設置し、各絶縁端台２２の端面には一対の該伸縮外筒２１内部へ貫く設置孔２２１を設置して電極結合部品２３を設置するのに用いる。
【００１５】
該二対の電極結合部品２３は、それぞれ各絶縁端台２２の設置孔２２１箇所に固定し、それは金属棒もしくは金属片から構成され、且つ該伸縮外筒２１両端に相互に対応する電極結合部品２３は、それぞれバネ２４で構成された回路で通電する。実施時、各ライト管連結器２０の伸縮外套筒２１内部は二個の金属棒２５が設置されてそれぞれ該伸縮外筒２１両端に相互対応する電極結合部品２３に属するバネ２４と連接し、全体構造の安定性を高める。
【００１６】
更に各ライト管連結器２０両端の電極結合部品２３は、図２に示すように相対して凹んだ絶縁端台２２、図５に示すように相対して突出した絶縁端台２２，もしくは一端の電極結合部品が相対して凹んだ絶縁端台で、別一端の電極結合部品は突出した絶縁端台の構造形態でもよく、それらは実際の求めに応じて使用する。
【００１７】
図６に示すとおり、本考案の各一個のライト管連結器２０を使用する場合、二個のライト管３１の間に設置し、両端の電極結合部品２３から、それぞれ二個のライト管３１の電極プラグ３１１と相互に差し込み、少なくとも二個のライト管３１を連接する目的を達成し、連接後のすべてのライト管３１の長さがライト台１２の電極差込台１２２の隙間に合うように使用でき、ライト管３１及びライト台１２の適用性を高め、更に異なる長さ規格のライト管も互換使用でき、ライト管購入のコスト及びライト管保存の面倒を相対して下げる。
【００１８】
総合するとおり、本考案は、実施可能なライト管連結器構造を提供し、実用新案登録を申請する。本考案の技術内容及び特徴は上述のとおりであるが、本考案の領域に習熟した者が本考案を基礎とし、本考案の考案精神から乖離しない各種の入替及び修飾を行うかもしれない。依って本考案の保護範囲は、実施例に制限されず、本考案から乖離しない各種入替及び修飾も請求範囲に含むこととする。
【符号の説明】
【００１９】
１１          蛍光ライト管
１１１        ライト管本体
１１２        端蓋
１２          ライト台
１２１        ライト台本体
１２２        電極差込台
２０          ライト管連結器
２１          縮外筒
２２          絶縁端台
２２１        設置孔
２３          電極結合部品
２４          バネ
２５          金属棒
３１          ライト管
３１１        電極プラグ
【図１】
0003160831.tif 000003
【図２】
0003160831.tif 000004
【図３】
0003160831.tif 000005
【図４】
0003160831.tif 000006
【図５】
0003160831.tif 000007
【図６】
0003160831.tif 000008